(57)【特許請求の範囲】
【請求項１】
帳票イメージと、前記帳票イメージに対応付けられたＩＤと前記帳票についてのキー情報とを登録するデータベース部と、
前記ＩＤ及び前記帳票イメージを転送するイメージ転送部と、を有するサーバと、
前記イメージ転送部から転送されたＩＤ及び帳票イメージを登録する帳票イメージデータベース部と、
前記ＩＤに対応付けられた定義情報に従って前記サーバのデータベース部から前記ＩＤに関連するキー情報を取得し、取得した前記キー情報に基づいて前記帳票イメージデータベース部の前記ＩＤに関連するキー情報の項目を更新するキー情報取得部と、を有する帳票イメージ保管サーバと、
を備えることを特徴とする、情報処理システム。
【請求項２】
前記帳票イメージ保管サーバは、
複数の前記定義情報が予め格納された定義情報格納部を有し、
前記キー情報取得部は、前記イメージ転送部から転送された前記ＩＤに基づいて前記定義情報格納部から読み出した前記定義情報に従って前記サーバのデータベース部から前記ＩＤに関連するキー情報を取得すること
を特徴とする請求項１に記載の情報処理システム。
【請求項３】
前記帳票イメージ保管サーバは、
複数の前記定義情報が予め格納された定義情報格納部を有し、
前記キー情報取得部は、前記イメージ転送部から転送された前記帳票イメージに基づいて前記定義情報格納部から読み出した前記定義情報に従って前記サーバのデータベース部から前記帳票イメージに関連するキー情報を取得すること
を特徴とする請求項１に記載の情報処理システム。
【請求項４】
前記キー情報取得部は、予め定められた所定の時間の到来を検知すると、前記定義情報に基づいて前記サーバから前記キー情報を取得すること
を特徴とする、請求項１から３いずれか一項に記載の情報処理システム。
【請求項５】
前記キー情報取得部は、前記イメージ転送部による処理が終了した旨が通知されると、前記定義情報に基づいて前記サーバから前記キー情報を取得すること
を特徴とする、請求項１から４いずれか一項に記載の情報処理システム。
【請求項６】
前記イメージ転送部は、前記データベース部に前記キー情報が新規登録された場合、又は前記データベース部に登録された前記キー情報が修正された場合に前記帳票イメージ保管サーバに前記ＩＤ及び前記帳票イメージを転送すること
を特徴とする請求項１から５いずれか一項に記載の情報処理システム。
【請求項７】
他のシステムから転送された帳票イメージと、前記帳票イメージに対応付けられたＩＤと、前記帳票についてのキー情報とを登録する帳票イメージデータベース部と、
前記ＩＤに対応付けられた定義情報に従って前記他のシステムのデータベース部から前記ＩＤに関連するキー情報を取得し、取得した前記キー情報に基づいて前記帳票イメージデータベース部の前記ＩＤに関連するキー情報の項目を更新するキー情報取得部と、
を備えることを特徴とする、帳票イメージ保管サーバ。
【請求項８】
前記帳票イメージ保管サーバは、
複数の前記定義情報が予め格納された定義情報格納部を有し、
前記キー情報取得部は、前記他のシステムから転送された前記ＩＤに基づいて前記定義情報格納部から読み出した前記定義情報に従って前記他のシステムのデータベース部から前記ＩＤに関連するキー情報を取得すること
を特徴とする請求項７に記載の帳票イメージ保管サーバ。
【請求項９】
前記帳票イメージ保管サーバは、
複数の前記定義情報が予め格納された定義情報格納部を有し、
前記キー情報取得部は、前記他のシステムから転送された前記帳票イメージに基づいて前記定義情報格納部から読み出した前記定義情報に従って前記他のシステムのデータベース部から前記帳票イメージに関連するキー情報を取得すること
を特徴とする請求項７に記載の帳票イメージ保管サーバ。
【請求項１０】
前記キー情報取得部は、予め定められた所定の時間の到来を検知すると、前記定義情報に基づいて前記他のシステムから前記キー情報を取得すること
を特徴とする、請求項７から９いずれか一項に記載の帳票イメージ保管サーバ。
【請求項１１】
前記キー情報取得部は、他のシステムから前記ＩＤ及び前記帳票イメージの転送が終了した旨が通知されると、前記定義情報に基づいて前記他のシステムから前記キー情報を取得することを特徴とする、請求項７から１０いずれか一項に記載の帳票イメージ保管サーバ。
【発明の詳細な説明】
【技術分野】
【０００１】
本発明は、情報処理システム及び帳票イメージ保管サーバに関し、特に、帳票イメージ保管システムと他のシステムとの連携に関するものである。
【背景技術】
【０００２】
従来、下記の特許文献１には、帳票画像データを顧客データとしてイメージエントリサーバ１６に登録すると共に、登録に必要な帳票画像登録用情報と印鑑画像登録用情報とを作成し、帳票画像データをイメージサーバに登録し、印鑑画像データを印鑑サーバに登録するイメージ処理システムが記載されている。
【先行技術文献】
【特許文献】
【０００３】
【特許文献１】特開２００３−２９６５８６号公報
【発明の概要】
【発明が解決しようとする課題】
【０００４】
しかしながら、上記従来の技術では、他システムで取り扱う帳票イメージを帳票イメージ保管システムで登録する場合、他のシステムで登録を行った上で、再度、帳票イメージ保管システムで帳票イメージおよびキー情報の登録を行う必要が生じていた。
【０００５】
このため、連携する他システムへの登録作業と、帳票イメージ保管システムへの登録作業がともに必要であり、２度手間となっていた。
【０００６】
また、連携する他システム側で情報の変更が発生した場合は、連携する他システムと帳票イメージ保管システムの両方で登録データのメンテナンス作業を行う必要があり、煩雑な作業が必要となっていた。
【０００７】
そこで、本発明は、上記問題に鑑みてなされたものであり、本発明の目的とするところは、簡素な構成で連携する他システムと帳票イメージ保管サーバへの登録が可能な、新規かつ改良された情報処理システム及び帳票イメージ保管サーバを提供することにある。
【課題を解決するための手段】
【０００８】
上記課題を解決するために、本発明のある観点によれば、帳票イメージと、前記帳票イメージに対応付けられたＩＤと前記帳票についてのキー情報とを登録するデータベース部と、前記ＩＤ及び前記帳票イメージを転送するイメージ転送部と、を有するサーバと、前記イメージ転送部から転送されたＩＤ及び帳票イメージを登録する帳票イメージデータベース部と、前記ＩＤに対応付けられた定義情報に従って前記サーバのデータベース部から前記ＩＤに関連するキー情報を取得し、取得した前記キー情報に基づいて前記帳票イメージデータベース部の前記ＩＤに関連するキー情報の項目を更新するキー情報取得部と、を有する帳票イメージ保管サーバと、を備える情報処理システムが提供される。
【０００９】
また、前記帳票イメージ保管サーバは、複数の前記定義情報が予め格納された定義情報格納部を有し、前記キー情報取得部は、前記イメージ転送部から転送された前記ＩＤに基づいて前記定義情報格納部から読み出した前記定義情報に従って前記サーバのデータベース部から前記ＩＤに関連するキー情報を取得するものであってもよい。
【００１０】
また、前記帳票イメージ保管サーバは、複数の前記定義情報が予め格納された定義情報格納部を有し、前記キー情報取得部は、前記イメージ転送部から転送された前記帳票イメージに基づいて前記定義情報格納部から読み出した前記定義情報に従って前記サーバのデータベース部から前記帳票イメージに関連するキー情報を取得するものであってもよい。
【００１１】
また、前記キー情報取得部は、予め定められた所定の時間の到来を検知すると、前記定義情報に基づいて前記サーバから前記キー情報を取得するものであってもよい。
【００１２】
また、前記キー情報取得部は、前記イメージ転送部による処理が終了した旨が通知されると、前記定義情報に基づいて前記サーバから前記キー情報を取得するものであってもよい。
【００１３】
また、前記イメージ転送部は、前記データベース部に前記キー情報が新規登録された場合、又は前記データベース部に登録された前記キー情報が修正された場合に前記帳票イメージ保管サーバに前記ＩＤ及び前記帳票イメージを転送するものであってもよい。
【００１４】
また、上記課題を解決するために、本発明の別の観点によれば、他のシステムから転送された帳票イメージと、前記帳票イメージに対応付けられたＩＤと、前記帳票についてのキー情報とを登録する帳票イメージデータベース部と、前記ＩＤに対応付けられた定義情報に従って前記他のシステムのデータベース部から前記ＩＤに関連するキー情報を取得し、取得した前記キー情報に基づいて前記帳票イメージデータベース部の前記ＩＤに関連するキー情報の項目を更新するキー情報取得部と、を備える帳票イメージ保管サーバが提供される。
【００１５】
また、前記帳票イメージ保管サーバは、複数の前記定義情報が予め格納された定義情報格納部を有し、前記キー情報取得部は、前記他のシステムから転送された前記ＩＤに基づいて前記定義情報格納部から読み出した前記定義情報に従って前記他のシステムのデータベース部から前記ＩＤに関連するキー情報を取得するものであってもよい。
【００１６】
また、前記帳票イメージ保管サーバは、複数の前記定義情報が予め格納された定義情報格納部を有し、前記キー情報取得部は、前記他のシステムから転送された前記帳票イメージに基づいて前記定義情報格納部から読み出した前記定義情報に従って前記他のシステムのデータベース部から前記帳票イメージに関連するキー情報を取得するものであってもよい。
【００１７】
また、前記キー情報取得部は、予め定められた所定の時間の到来を検知すると、前記定義情報に基づいて前記他のシステムから前記キー情報を取得するものであってもよい。
【００１８】
また、前記キー情報取得部は、他のシステムから前記ＩＤ及び前記帳票イメージの転送が終了した旨が通知されると、前記定義情報に基づいて前記他のシステムから前記キー情報を取得するものであってもよい。
【発明の効果】
【００１９】
本発明によれば、簡素な構成で連携する他システムと帳票イメージ保管サーバへの登録が可能となる。
【図面の簡単な説明】
【００２０】
【図１】本発明の一実施形態に係るシステムの構成を示す模式図である。
【図２】印鑑サーバの構成を示す模式図である。
【図３】帳票イメージ保管サーバの構成を示す模式図である。
【図４】印鑑データベース部が保持する情報を示す模式図である。
【図５】帳票イメージデータベース部が保持する情報を示す模式図である。
【図６】キー情報取得定義情報格納部に予め定義されたキー情報取得定義情報を示す模式図である。
【図７】帳票イメージデータベース部が更新された状態を示す模式図である。
【図８】本発明の一実施形態の処理を示すフローチャートである。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
先ず、図１〜図６に基づいて、本発明の一実施形態について説明する。図１〜図３は、本発明の一実施形態の構成を示す模式図である。また、図４〜図７は、データベースに保持される情報を示す模式図である。また、図８は、本実施形態の処理を示すフローチャートである。
【００２３】
図１は、本実施形態に係るシステムの構成を示す模式図である。図１に示すように、本実施形態の構成は、印鑑登録システム１００、帳票イメージ保管システム２００の２つのシステムにより構成される。印鑑登録システム１００には、印鑑票登録端末１１０、印鑑サーバ１２０が含まれる。また、帳票イメージ保管システム２００には、帳票イメージ照会端末２１０、帳票イメージ保管サーバ２２０が含まれる。
【００２４】
印鑑票登録端末１１０は、一例として、イメージスキャナ装置が接続されたパーソナルコンピュータ（ＰＣ）等の端末である。印鑑票登録端末１１０は、イメージスキャナ装置においてスキャンされた印鑑票の帳票イメージ（帳票の画像データ）を取得し、帳票イメージ中の印影部分のイメージ（以下、印影イメージという）を切り出す機能を有する。また、印鑑票登録端末１１０は、オペレータからの入力を受付け、帳票イメージ、印影イメージに店番、科目、口座番号等の情報を付与して印鑑サーバ１２０に送り、印鑑サーバ１２０に登録する機能を有する。印鑑サーバ１２０に送られたこれらの情報は、印鑑サーバ１２０の印鑑データベース部１２４に登録される。
【００２５】
図２は、印鑑サーバ１２０の構成を示す模式図である。印鑑サーバ１２０は、イメージ転送部１２２と印鑑データベース１２４とにより構成される。
【００２６】
印鑑データベース部１２４は、一般的なデータベースから構成されることができる。図４は、印鑑データベース部１２４が保持する情報を示す模式図である。図４に示すように、印鑑データベース部１２４は、印鑑票登録端末１１０から送られた印鑑に関する情報を表の形式で保持する。具体的には、印鑑に関する情報は、ＩＤ、帳票イメージ、店番、科目、口座番号、印影イメージ、登録日、を含むものである。上述したように、帳票イメージ、印影イメージに店番、科目、口座番号の情報は、印鑑票登録端末１１０がオペレータからの入力を受付けることによって取得され、印鑑票登録端末１１０から印鑑サーバ１２０に送られて、印鑑データベース部１２４に登録される。例えば、印鑑登録システム１００が店舗等で帳票イメージを取得する場合、これらの情報は、印鑑票登録端末１１０で取得されると、印鑑サーバ１２０に送られて、印鑑データベース部１２４に登録される。
【００２７】
図４に示す情報のうち、ＩＤは、イメージスキャナ装置で取得された帳票イメージと１対１に対応したユニークなキー情報である。
【００２８】
印鑑サーバ１２０のイメージ転送部１２２は、その日に印鑑データベース部１２４に新規登録されたＩＤ、帳票イメージを、帳票イメージ保管システム２００のイメージ保管サーバ２２０へ転送し、イメージ保管サーバ２２０に登録する機能を有する。イメージ転送部１２２による処理は、例えば、１日に１度、決められた時間に実行される。
【００２９】
図３は、帳票イメージ保管サーバ２２０の構成を示す模式図である。帳票イメージ保管サーバ２２０は、キー情報取得部２２２、キー情報取得定義情報２２４、および帳票イメージデータベース部２２６を有して構成される。帳票イメージデータベース部２２６は、一般的なデータベースから構成されることができる。また、キー情報取得定義情報格納部２２４は、キー情報を取得するために定義されるキー情報取得定義情報を格納するメモリである。
【００３０】
なお、図２及び図３に示す印鑑サーバ１２０、帳票イメージ保管サーバ２２０の各構成要素は、ハードウェア（回路）、または中央演算処理装置（ＣＰＵ）とこれを機能させるためのプログラム（ソフトウェア）から構成することができる。この場合において、そのプログラムは、各サーバが備えるメモリまたは外部から接続されるメモリ等の記憶部に格納されることができる。
【００３１】
図５は、帳票イメージデータベース部２２６が保持する情報を示す模式図である。図５に示すように、帳票イメージデータベース部２２６は、帳票イメージに関する情報を表の形式で保持する。
【００３２】
キー情報取得部２２２は、キー情報取得定義情報格納部２２４に格納されたキー情報取得定義情報の指定に従い、印鑑サーバ１２０の印鑑データベース部１２４から、帳票イメージに関連を持つキー情報を取得し、帳票イメージ保管サーバ２２０の帳票イメージデータベース部２２６のキー情報を更新する機能を有する。キー情報取得部２２２による処理は、例えば、１日に１度、決まった時間に実行される。
【００３３】
図６は、キー情報取得定義情報格納部２２４に予め定義されたキー情報取得定義情報を示す模式図である。図６に示すように、キー情報取得定義情報格納部２２４には、キー情報取得部２２２の動作に必要な情報が予め定義されている。
【００３４】
図６に示すように、キー情報取得定義情報は、各ＩＤについて定義されている。図６の例では、あるＩＤに対して、キー情報名１〜３として、「店番」、「科目」、「口座番号」が定義されている。そして、印鑑データベース部１２４から「店番」、「科目」、「口座番号」を取得するためのＳＱＬ文（取得情報１〜３）、帳票イメージデータベース部２２６へ「店番」、「科目」、「口座番号」を格納するためのＳＱＬ文（格納情報１〜３）が定義されている。
【００３５】
キー情報取得部２２２は、図６に示すキー情報取得定義情報の指定に従い、印鑑サーバ１２０の印鑑データベース部１２４から、帳票イメージに関連を持つキー情報を取得し、帳票イメージデータベース部２２６のキー情報を更新する。図６に示すＩＤについては、キー情報名１〜３として、「店番」、「科目」、「口座番号」が定義されているため、キー情報取得部２２２は、このＩＤについて「店番」、「科目」、「口座番号」を印鑑データベース部１２４から取得し、帳票イメージデータベース部２２６のキー情報（「店番」、「科目」、「口座番号」）を更新する。
【００３６】
また、帳票や伝票の種類に応じた定義情報を予め複数用意しておき、登録する帳票や伝票の種類に応じて帳票イメージデータベース部２２６へ登録する際に用いる定義情報を使い分けることも可能である。この場合、帳票の種類に応じて印鑑登録システム１００へ登録される情報が異なるように構成しても良い。
【００３７】
また、上述したＩＤに基づいてキー情報取得定義情報を定義するほかに、例えばＩＤと帳票イメージを帳票イメージ保管サーバ２２０に送信し、帳票イメージ保管サーバ２２０で受信した帳票イメージに対して帳票イメージのフォーマット認識等を行い、フォーマット認識の結果から特定した帳票の種類に応じてどの定義情報を用いるのかを決定し、決定した定義情報に基づいて印鑑サーバ１２０からキー情報を取得するように構成しても良い。
【００３８】
図８は、本実施形態の処理の流れを示すフローチャートである。先ず、１日の業務中時間に、オペレータは印鑑票登録端末１０２を操作し、印鑑サーバ１２０の印鑑データベース部１２４に新規に受け付けた印鑑の情報として、ＩＤ、帳票イメージの他に店番、科目、口座番号等の情報を登録する（ステップＳ１００）。
【００３９】
次に、業務終了後の時間になると、印鑑サーバ１２０のイメージ転送部１２２が起動し、その日に印鑑データベース部１２４に新規登録されたＩＤ、および帳票イメージを、帳票イメージ保管サーバ２２０へ転送し、帳票イメージデータベース部２２６に登録する（ステップＳ１０２）。新規登録されたＩＤであることを判断する方法としては、例えば印鑑サーバ１２０に備えた図示しないタイマより取得した当日の日付と登録日の日付とを比較し、同じ日付であるＩＤを新規登録された帳票であると判断して帳票イメージ保管サーバ２２０へ転送するようにしてもよく、また、帳票イメージ保管サーバ２２０への転送を翌日の深夜に行うのであれば、登録日が前日の日付であるものを新規登録された帳票であると判断するようにしてもよい。
【００４０】
一例として、この時点での帳票イメージデータベース部２２６の状態を図５に示す。図５に示す状態では、ＩＤ及び帳票イメージが帳票イメージデータベース部２２６に登録されており、店番、科目、口座番号は未登録の状態である。
【００４１】
次に、イメージ転送部１２２の処理が確実に完了する時間になった後、予め定めた所定の設定時間の到来を帳票イメージ保管サーバ２２２が検知すると、キー情報取得部２２２が起動し、帳票イメージデータベース部２２６に登録したＩＤに基づいてキー情報取得定義情報格納部２２４に格納されたキー情報取得定義情報から対応するキー情報取得定義情報を決定し、決定したキー情報取得定義情報の指定に従い、印鑑サーバ１２０の印鑑データベース部１２４から、帳票イメージに関連を持つキー情報を取得し、帳票イメージ保管サーバ２２０の帳票イメージデータベース部２２６のキー情報を更新する（ステップＳ１０４）。例えば、図５の場合では帳票イメージデータベース部に登録されたＩＤは「１２３４５６７８」であるため、キー情報取得定義情報格納部からＩＤ「１２３４５６７８」に該当するキー情報取得定義情報を検索し、該当するキー情報取得定義情報を読み出してキー情報の取得を行う。なお、イメージ転送部１２２の処理が確実に完了する時間は、一例として、印鑑登録業務が完了する時間（例えば毎日の午後８時（２０：００））とすることができるが、実際の運用に応じて任意に設定することができる。また、キー情報取得部２２２による処理は、所定時間おき（例えば１時間おき）に実行して情報を更新することも可能である。
【００４２】
一例として、図６に示すキー情報を取得する場合、「店番」、「科目」、「口座番号」が帳票イメージに関連を持つキー情報として取得されて、帳票イメージデータベース部２２６のキー情報が更新される。この時点で、帳票イメージデータベース部２２６の状態は、図５の状態から図７に示す状態に更新される。図７に示す状態では、図５と同様にＩＤおよび帳票イメージが登録され、これに加えて、キー情報取得部２２２の処理により、「店番」、「科目」、「口座番号」が登録されて、帳票イメージデータベース部２２６の状態に反映される。
【００４３】
ここで、キー情報取得部２２２は、新規に登録されたＩＤだけでなく、全てのＩＤに対して更新を行うため、前日以前に登録されていたデータで、印鑑サーバ１２０の印鑑データベース部１２４側のキー情報が修正されていた場合、そのデータも同様に更新が行われる。このとき、印鑑データベース部１２４側のキー情報の修正の有無を判断する方法としては、例えば印鑑データベース部１２４にキー情報の修正日時を表わす「修正日」の項目を設け、この修正日を上述したように印鑑サーバ１２０に設けた図示しないタイマ部により取得した日付と比較することで修正の有無を判断するようにすればよい。
【００４４】
以上のように、本実施形態では、印鑑サーバ１２０上のイメージ転送部１２２が、ＩＤ、帳票イメージを帳票イメージ保管サーバ２２０上の帳票イメージデータベース部２２６に登録する。また、帳票イメージ保管サーバ２２０上のキー情報取得部２２２が、キー情報取得定義情報に従って、印鑑サーバ１２０上の印鑑データベース部１２４から、帳票イメージに関連を持つキー情報を取得し、帳票イメージ保管サーバ２２０上の帳票イメージデータベース部２２６のキー情報を更新する。このような構成によれば、従来は２重に発生していた登録業務を１回で済ませることが可能となる。
【００４５】
また、キー情報取得部２２２は、新規に登録されたＩＤだけでなく、印鑑データベース部１２４に格納されているキー情報について、修正のあった全てのＩＤに対して更新を行う。従って、登録された情報に対し変更を行う場合は、印鑑サーバ１２０上の印鑑データベース部１２４のデータのメンテナンスを行うだけで、自動的に帳票イメージ保管サーバ２２０上の帳票イメージデータベース部２２６が更新されるため、メンテナンスの手間を削減することができる。
【００４６】
なお、上述した例では、イメージ転送部１２２の処理が確実に完了する時間になった時点でキー情報取得部２２２がキー情報を取得する構成としているが、イメージ転送部１２２の処理が終了した旨の信号又は情報を帳票イメージ保管サーバ２２０へ送信し、この信号又は情報をキー情報取得部２２２が受信した場合に帳票イメージ保管サーバ２２０のキー情報取得部２２２が起動するように構成しても良い。また、印鑑データベース部１２４のキー情報が新規登録又は修正された場合に、これを検知してキー情報取得部２２２が起動するように構成しても良い。この場合、印鑑サーバ１２０からキー情報が新規登録又は修正されたことを示す信号又はデータ情報を帳票イメージ保管サーバ２２０のキー情報取得部２２２へ送信することで、キー情報取得部２２２は、キー情報の新規登録又は修正を検知することができ、これに基づいてキー情報取得部２２２を起動することができる。
【００４７】
以上説明したように本実施形態によれば、帳票イメージ保管システムにおいて、他ステムから転送された各種帳票イメージの保管及び照会を可能となり、また他システムのデータが変更された場合に、帳票イメージ保管システムのデータを更新することが可能となる。
【００４８】
なお、本実施形態では、帳票イメージ保管システム２００が印鑑登録システム１００と連携した構成例を挙げたが、同様に各種諸届の管理システムや、汎用的なイメージエントリシステムとの連携も可能である。
【００４９】
また、本実施形態では、帳票イメージ保管システム２００が１つの印鑑登録システム１００と連携した構成例を挙げたが、キー情報取得定義情報を複数用意することで、複数の他システムとの連携をすることも可能である。
【００５０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５１】
１００    装置
１０２    部品
１２０    印鑑サーバ
１２２    イメージ転送部
１２４    印鑑データベース部
２２０    帳票イメージ保管サーバ
２２２    キー情報取得部
２２６    帳票イメージデータベース部
【図１】
0005578106.tif 000002
【図２】
0005578106.tif 000003
【図３】
0005578106.tif 000004
【図４】
0005578106.tif 000005
【図５】
0005578106.tif 000006
【図６】
0005578106.tif 000007
【図７】
0005578106.tif 000008
【図８】
0005578106.tif 000009